(57)【特許請求の範囲】
【請求項１】
無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、
複数のオブジェクトを保存するステップと、保存されているオブジェクトを任意に表現するための表現スタイル形式を生成するステップと、生成した表現スタイル形式を保存するステップとを有し、
前記オブジェクトのうち、画像データまたは文字データからなる複数のオブジェクトを同一画面に重ね合わせて表示するステップと、前記重ね合わせて表示された複数のオブジェクトを合成して１つの新たな画像データを生成するステップと、合成により得られた画像データを新たなオブジェクトとして保存するステップとをさらに有することを特徴とする携帯無線通信端末のスタイル処理方法。
【請求項２】
無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、
複数のオブジェクトを保存するステップと、保存されているオブジェクトを任意に表現するための表現スタイル形式を生成するステップと、生成した表現スタイル形式を保存するステップとを有し、
前記ネットワークを介して複数のオブジェクトの重ね書き表現を含む記述言語をダウンロードするステップと、そのダウンロードした記述言語の重ね書き表現で用いられている前記各オブジェクトを同一画面に重ね合わせて表示するとともに、重ね合わせて表示された前記各オブジェクトを合成して１つの新たな画像データを生成するステップと、合成により得られた画像データを新たなオブジェクトとして保存するステップとをさらに有することを特徴とする携帯無線通信端末のスタイル処理方法。
【請求項３】
請求項１または請求項２に記載の携帯無線通信端末のスタイル処理方法において、
前記新たな画像データを合成した後、その合成に用いた前記複数のオブジェクトを削除するステップをさらに有することを特徴とする携帯無線通信端末のスタイル処理方法。
【請求項４】
無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、
複数のオブジェクトを保存するメモリと、
保存されているオブジェクトを任意に表現するための表現スタイル形式を生成する表現スタイル形式生成部と、
この表現スタイル形式生成部で生成された表現スタイル形式を保存する表現スタイル形式用メモリと、
前記オブジェクトのうち、画像データまたは文字データからなる複数のオブジェクトを同一画面に重ね合わせて表示するとともに、前記重ね合わせて表示された複数のオブジェクトを合成して１つの新たな画像データを生成する表示処理部と、
この表示処理部で生成された画像データを新たなオブジェクトとして保存する画像用メモリと
を備えることを特徴とする携帯無線通信端末。
【請求項５】
無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、
複数のオブジェクトを保存するメモリと、
保存されているオブジェクトを任意に表現するための表現スタイル形式を生成する表現スタイル形式生成部と、
この表現スタイル形式生成部で生成された表現スタイル形式を保存する表現スタイル形式用メモリと、
前記ネットワークを介して複数のオブジェクトの重ね書き表現を含む記述言語をダウンロードするダウンロード処理部と、
このダウンロード処理部でダウンロードした記述言語の重ね書き表現で用いられている前記各オブジェクトを同一画面に重ね合わせて表示するとともに、前記重ね合わせて表示された複数のオブジェクトを合成して１つの新たな画像データを生成する表示処理部と、
この表示処理部で生成された画像データを新たなオブジェクトとして保存する画像用メモリと
を備えることを特徴とする携帯無線通信端末。
【請求項６】
請求項４または請求項５に記載の携帯無線通信端末において、
前記表示処理部は、前記新たな画像データを合成した後、その合成に用いた前記複数のオブジェクトを削除することを特徴とする携帯無線通信端末。
【発明の詳細な説明】
【０００１】
【発明の属する技術分野】
本発明は、携帯無線通信端末およびスタイル処理方法に関し、特に画像データや文字データを所望の形式で表現するための表現スタイル形式を生成し編集する携帯無線通信端末およびスタイル処理方法に関するものである。
【０００２】
【従来の技術】
一般に、携帯無線通信端末では、インターネットのホームページを初めとする情報提供システムから、文字データ、画像データさらには音声データなどの各種ディジタルデータからなるマルチメディアコンテンツを受信して表示する機能を有している。この種のコンテンツは、ＨＴＭＬ（Ｈｙｐｅｒ  Ｔｅｘｔ  Ｍａｒｋｕｐ  Ｌａｎｇｕａｇｅ）やＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）等の記述言語からなる表現スタイル形式を用いて表現される。携帯無線通信端末では、マルチメディアコンテンツをこの表現スタイル形式に基づき表示するものとなっており、このような表現スタイル形式を扱う処理をスタイル処理という。
【０００３】
以下、従来の携帯無線通信端末におけるスタイル処理について説明する。図１７は従来の携帯無線通信端末を示すブロック図である。同図において、従来の携帯無線通信端末は、携帯電話システム等の無線システムと通信をおこなう無線部１０８と、無線区間との通信プロトコル処理を行う送受信データ処理部１０９と、文字や画像データの表示を行う表示処理部１１３と、表示を行う表示器１１４と、ＨＴＭＬやＸＭＬ（Ｅｘｔｅｎｓｉｂｌｅ  Ｍａｒｋｕｐ  Ｌａｎｇｕａｇｅ）等の記述言語を保存する記述言語用メモリ１１６と、画像データを保存する画像用メモリ１１７と、音声データを登録する音声データ用メモリ１２５と、音声再生処理を行う音声再生処理部１２３と、スピーカ１２４と、ＣＰＵ１２６から構成される。
【０００４】
図１８は従来の携帯無線通信端末のスタイル処理を示すフローチャートであり、ここでは図１４に示した携帯無線通信端末によるオブジェクト取得と表示動作について説明する。同図において、ユーザ操作によりホームページやファイルサーバからダウンロードする指示に従い（Ｓ１０１）、ダウンロード指示対象が音声データである場合は、指定された音声データをダウンロードし（Ｓ１０２）、音声データ用メモリ２５に保存する（Ｓ１０３）。ダウンロードの指示対象が画像データである場合は、指定された画像データをダウンロードし（Ｓ１０４）、画像用メモリ１７に保存する（Ｓ１０５）。
【０００５】
ダウンロードの指示対象が記述言語である場合は、指定された記述言語データをダウンロードし（Ｓ１０６）、記述言語用メモリ１６に保存し（Ｓ１０７）、記述言語を解析する（Ｓ１０８）。ユーザ操作によりダウンロード指示が終了したら、記述言語がＨＴＭＬスタイルシートやＳＭＩＬなどのスタイル付記述言語である場合には、文字と画像データを表示器１４により表示し、音声データを音声再生処理部２３により処理しスピーカ２４より再生する（Ｓ１０９）。
【０００６】
【発明が解決しようとする課題】
しかしながら、このような従来の携帯無線通信端末では、簡易なスタイル処理しか行っていないため、次のような問題点があった。
第１の問題点は、スタイルの指定がコンテンツの提供者側により固定されるため、携帯無線通信端末のユーザが自由にコンテンツを生成することができないことにある。第２の問題点は、スタイル指定のないコンテンツを端末内で自動閲覧する動作ができなため、同じコンテンツの再現を行うために同じユーザ操作が必要となり煩雑となることである。第３の問題点は、複数の画像データを別々にもち、スタイル記述により表示の度に合成しているため、端末内にメモリの制限があるような携帯無線通信端末にはメモリ使用上適さないことである。
【０００７】
サービスの提供形態をカスタマイズする方法としては、従来、携帯無線通信端末からサーバへ指示するようにしたもの（例えば、特開平９−２２３０６２号公報など参照）が提案されているが、このような方法によれば、その都度、端末からサーバへカスタマイズを指示する必要があり、ユーザが携帯無線端末のみを操作してカスタマイズできない。
また、パソコンなどの比較的規模の大きな情報処理装置を用いて、所望のレイアウトでコンテンツを生成するようにしたもの（例えば、特開平１０−２２２５０８号公報、特開平１１−９６１４４号公報、特開平１１−２３８０５３号公報など参照）が提案されているが、携帯無線通信端末を前提とするものではない。
【０００８】
本発明はこのような課題を解決するためのものであり、端末の構成および利用形態を考慮して、各種のマルチメディアコンテンツを所望に応じた形式で活用できる携帯無線通信端末およびそのスタイル処理方法を提供することを目的としている。
【０００９】
【課題を解決するための手段】
このような目的を達成するために、本発明による携帯無線通信端末およびそのスタイル処理方法は、インターネットのホームページを初めとする情報提供システムにおいて、サービスクライアントとなるユーザ端末として、画像や音声によるマルチメディアコンテンツの表現スタイル形式を利用した携帯情報端末や携帯電話等の無線データ通信端末機を使用し、その端末内でユーザが自由にコンテンツの表現スタイル形式を生成するようにしたものである。
特に、撮影、データ読み込み、通信などにより得た画像データ、入力や通信で得た文字データ、あるいは録音や通信で得た音声データを、携帯無線通信端末で任意に合成して表現し、その表現形式から表現スタイル形式を生成して活用するようにしたものである。
【００１０】
具体的には、無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、複数のオブジェクトを保存し、保存されているオブジェクトを任意に表現するための表現スタイル形式を生成し、生成した表現スタイル形式を保存するものとし、画像データまたは文字データからなる複数のオブジェクトについては、これらを同一画面に重ね合わせて表示し、重ね合わせて表示された複数のオブジェクトを合成して１つの新たな画像データを生成し、合成により得られた画像データを新たなオブジェクトとして保存するようにしたものである。
【００１１】
あるいは、無線データ通信網やこの無線データ通信網に接続されたインターネット網などのネットワークを介して、文字データ、画像データ、音声データなどのオブジェクトから構成されるホームページやメールなどのマルチメディア・コンテンツをやり取りする機能を有する携帯無線通信端末において、複数のオブジェクトを保存し、保存されているオブジェクトを任意に表現するための表現スタイル形式を生成し、生成した表現スタイル形式を保存するものとし、ネットワークを介して複数のオブジェクトの重ね書き表現を含む記述言語をダウンロードし、その記述言語の重ね書き表現で用いられている前記各オブジェクトを同一画面に重ね合わせて表示するとともに、重ね合わせて表示された前記各オブジェクトを合成して１つの新たな画像データを生成し、合成により得られた画像データを新たなオブジェクトとして保存するようにしたものである。
【００１２】
これら携帯無線通信端末およびそのスタイル処理方法において、新たな画像データを合成した後、その合成に用いた前記複数のオブジェクトを削除するようにしてもよい。
【００１６】
【発明の実施の形態】
次に、本発明について図面を参照して説明する。
図１は本発明の各実施の形態である携帯無線通信端末が利用される通信システムのブロック図である。無線通信端末としての携帯電話パケット通信端末１は、携帯電話パケット網２にて運用され、携帯電話パケット網２上のホームページサーバ３、またはインターネット網５上のホームページサーバ６に掲載されたＨＴＭＬやＸＭＬ等の記述言語でかかれたコンテンツを受信する。またメールサーバ４やメールサーバ７へ携帯電話パケット通信端末１にて生成した表現スタイル形式およびオブジェクトを送受する。
【００１７】
図２は本発明の第１の実施の形態である携帯無線通信端末のブロック図である。同図において、本実施の形態の携帯無線通信端末は、携帯電話システム等の無線システムと通信をおこなう無線部８と、無線区間との通信プロトコル処理を行う送受信データ処理部９と、カメラ等画像データの入力を行う画像入力部１１と、入力された画像データの処理を行う画像処理部１０と、文字入力を行う文字入力部１２と、文字や画像データの表示を行う表示処理部１３と、表示を行う表示器１４と、ＨＴＭＬやＸＭＬ等の記述言語を保存する記述言語用メモリ１６と、画像データを保存する画像用メモリ１７と、表現スタイル形式を保存する表現スタイル形式用メモリ１８と、端末外部の装置、例えばカメラやパソコン、あるいはメモリカードなどと各種データをやり取りするための外部Ｉ／Ｆ部１５Ａと、ＣＰＵ１５から構成され、これらが内部バスＢＵＳを介して相互に接続されている。
【００１８】
ＣＰＵ１５および後述のＣＰＵ１９，２０には、プログラムで構成される機能処理部として、各種メモリに保存されているオブジェクトを任意に表現するための表現スタイル形式を生成する表現スタイル形式生成部３１、文字入力部１２から入力された文字をデジタル処理可能な文字データに変換する記述言語処理部３２、表現スタイル形式用メモリ１８に保存されている表現スタイル形式に登録されている任意のオブジェクトについて、そのオブジェクトの表現形式を変更することにより、表現スタイル形式を修正する表現スタイル形修正部３３、ネットワークを介して文字データ、記述言語、画像データあるいは音声データをダウンロードするダウンロード処理部３４が、それぞれ必要に応じて設けられている。
【００１９】
本発明で用いられる表現スタイル形式は、ＨＴＭＬのスタイルシートやＳＭＩＬ等、文字情報の記述言語内に含めたり、スタイルのみオブジェクトとは別に記述する表現も選択できる。ＨＴＭＬのスタイルシートやＳＭＩＬは、当業者にとってよく知られており、その構成自体は本発明と直接関係しないので、その構成の詳細な説明は省略する。
【００２０】
図３は図２の携帯無線通信端末によるスタイル処理動作を示すフローチャートである。ここでは、図３を参照し、図２の携帯無線通信端末によるスタイル処理の１つとして、オブジェクト生成と表現スタイル形式生成の処理動作について説明する。
表現する対象として文字や画像等のオブジェクトを生成する場合（Ｓ２）、画像の撮影を行う場合は、画像入力部１１にて画像を撮影し（Ｓ３）、画像処理部１０にて取得した画像をデジタル処理可能な画像データへ変換処理を行い（Ｓ４）、画像用メモリ１７へ画像データとして保存する（Ｓ５）。なお、ここで画像撮影（Ｓ３）は、カメラによる撮影だけでなく、イメージスキャナによる画像取り込みや、取り外し可能なメモリ、他の端末からのデータ転送でもよい。文字を入力する場合は、文字入力部１２により文字の入力を行い（Ｓ６）、ＨＴＭＬ等の記述言語に変換し（Ｓ７）、記述言語用メモリ１６に保存する（Ｓ８）。
【００２１】
オブジェクトの生成が完了すると、表現スタイル形式データの生成を行う（Ｓ９）。ここで、スタイルデータのリセットを行う場合は、表現スタイル形式用メモリ１８の保存データを消去する（Ｓ１０）。ユーザ操作により画像データの表示を選択した場合は、画像用メモリ１７に保存してある画像データから指定した画像データを選択し表示し（Ｓ１１）、表示した画像データ名を表現スタイル形式保存データとして表現スタイル形式用メモリ１８に保存する（Ｓ１２）。
【００２２】
ユーザ操作により文字の表示を選択した場合は、記述言語用メモリ１６に保存されている文字を表示し（Ｓ１３）、表示した文字データ名、例えば記述言語ファイル名を表現スタイル形式保存データとして表現スタイル形式用メモリ１８に保存する（Ｓ１４）。このユーザ操作により、ユーザが表示した内容と順番を表現スタイル形式として記憶することとなり、表現の再生を行うためのデータとして表現スタイル形式データが完成する。ユーザ操作により画像または文字の表示を終了した場合は、表現スタイル形式データの登録を完了する（Ｓ１５）。また、ステップＳ９において「戻る」を選択することによりステップＳ２のオブジェクト生成処理へ任意に移行できる。
【００２３】
図４は図２の携帯無線通信端末による他のスタイル処理動作を示すフローチャートである。ここでは、図４を参照し、図２の携帯無線通信端末によるスタイル処理の１つとして、表現スタイル形式のデータに基づきコンテンツの再生を行う処理動作について説明する。
まず、表現スタイル形式用メモリ１８から表現スタイル形式を読み出し（Ｓ１８）、表現スタイル形式の修正を行う場合は（Ｓ１９：ＹＥＳ）、表現スタイル形式の修正を行い（Ｓ２０）、修正がない場合は（Ｓ１９：ＮＯ）、表現スタイル形式に基づく再生動作を開始する状態となる（Ｓ２１）。
【００２４】
表現スタイル指示動作では（Ｓ２１）、表現スタイル形式の指示順番に従い、対応する処理が指示される。指示が画像表示である場合は、指定された画像データを画像用メモリ１７から読み出し（Ｓ２２）、画像データを表示処理部１３により処理し表示器１４にて表示する（Ｓ２３）。指示が文字表示である場合は指定された文字データを記述言語用メモリ１６から読み出し（Ｓ２４）、文字データを表示処理部１３により処理し表示器１４にて表示する（Ｓ２５）。表現スタイル形式用メモリ１８からの読み出しが完了した場合は終了となる（Ｓ２６）。
【００２５】
図５は図２の携帯無線通信端末による他のスタイル処理動作を示すフローチャートである。ここでは、図５を参照し、図２の携帯無線通信端末によるスタイル処理の１つとして、表現スタイル形式修正の処理動作について説明する。
まず、表現スタイル形式用メモリ１８から表現スタイル形式を読み出し（Ｓ２８）、ユーザ操作によりスタイル修正を行う（Ｓ２９）。
【００２６】
画像の表示位置を修正する場合は、画像毎に表示位置をユーザ操作により指定する（Ｓ３０）。画像の表示順を修正する場合は画像毎に表示順をユーザ操作により指定する（Ｓ３１）。画像の表示サイズを修正する場合は、画像毎に表示サイズをユーザ操作により指定する（Ｓ３２）。そして、これら指定された表現スタイル形式を変更登録する（Ｓ３３）。スタイル修正が終了したら、表現スタイル形式用メモリ１８に保存する（Ｓ３４）。なお、画像表示順は、重ね合わせ表示の場合の重ね合わせ順番の指定を含む。
【００２７】
このように、本実施の形態によれば、コンテンツ提供者側によるマルチメディア情報の表現スタイル形式の生成だけでなく、端末側でも自由に表現スタイル形式を生成・加工することができるため、そのスタイルを活用して自分専用のコンテンツを生成することができるようになる。また、電子メールとの連動を行うことで、他人へ自分が生成したコンテンツ表現スタイル形式を伝えることができる。
【００２８】
次に、図６を参照して、本発明の第２の実施の形態について説明する。本実施の形態では、表示するオブジェクトを無線ネットワークに接続されたホームページ等から取得する例について説明する。図６は、本発明の第２の実施の形態である携帯無線通信端末のブロック図である。
同図において、この携帯無線通信端末は、第１の実施の形態の携帯無線通信端末の構成（図２参照）から、オブジェクトを生成するブロックとして画像入力部１０、画像処理部１１、文字入力部１２が除かれたものであり、それ以外の構成は前述と同じである。これら構成に代わって、オブジェクトを無線部８および送受信データ処理部９により、インターネット等にあるホームページやメールから取得するものとする。
【００２９】
図７は図６の携帯無線通信端末によるスタイル処理動作を示すフローチャートである。ここでは、図７を参照し、図６の携帯無線通信端末によるスタイル処理の１つとして、表現スタイル形式修正の処理動作について説明する。
ユーザ操作により表現スタイル形式登録開始が指示されると（Ｓ３７）、ホームページやファイルサーバからダウンロードする指示に従い、表現スタイル形式データとして登録が開始される（Ｓ３８）。ダウンロードの指示対象が画像データである場合は、指定された画像データをダウンロードし（Ｓ３９）、画像用メモリ１７に保存し（Ｓ４０）、画像データを表示器１４により表示し（Ｓ４１）、表現スタイル形式として表現スタイル形式データ用メモリ１８に画像データ名を追加登録する（Ｓ４６）。
【００３０】
ダウンロードの指示対象が記述言語である場合は、指定された記述言語データをダウンロードし（Ｓ４２）、記述言語用メモリ１６に保存し（Ｓ４３）、記述言語を解析する（Ｓ４４）。そして、解析結果を表示器１４により表示し（Ｓ４５）、表現スタイル形式として表現スタイル形式データ用メモリ１８に記述言語名を追加登録する（Ｓ４６）。ユーザ操作によりダウンロード指示が終了したら、表現スタイル形式用メモリ１８への登録を終了する（Ｓ４７）。
【００３１】
図８は図６の携帯無線通信端末による他のスタイル処理動作を示すフローチャートである。ここでは、図８を参照し、図６の携帯無線通信端末によるスタイル処理の１つとして、取得オブジェクトの画像データで保存する処理動作について説明する。
まず、ユーザ操作による指示に従い、ホームページやファイルサーバからダウンロードし、表現スタイル形式データとして表現スタイル形式データ用メモリ１８に登録する（Ｓ５０からＳ５８）。なお、これら処理動作は前述の図７と同じであり、ここでの説明は省略する。ユーザ操作によりダウンロード指示が終了したら、表現スタイル形式として、重ね合わせた画像データを抽出し、新たに一つの画像データとして生成し画像データ用メモリに保存する（Ｓ５９）。そして、重ね合わせた個々の画像データを画像用メモリ１７から削除する（Ｓ６０）。
【００３２】
このように、本実施の形態によれば、コンテンツ提供者側によるオブジェクトを活用し、端末側でも自由に表現スタイル形式を生成し加工できるため、そのスタイルを活用して自分専用のコンテンツを生成できるようになる。また、電子メールとの連動を行うことで、他人へ自分が生成したコンテンツ表現スタイル形式を伝えることができる。また、複数の画面データを合成して１つ画面データにまとめることができるため、携帯電話の様な少ないメモリ容量の端末でも必要な情報を保存できるという効果が得られる。
【００３３】
次に、図９を参照し、本発明の第３の実施の形態について説明する。本実施の形態では、音声等の音声データをオブジェクトの一部に取り込む例について説明する。図９は第３の実施の形態である携帯無線通信端末のブロック図である。
同図において、この携帯無線通信端末には、音声を入力する音声入力部２２と、音声をデジタル処理可能な音声データとして変換する音声処理部２１と、音声データを登録する音声データ用メモリ２５と、音声再生処理を行う音声再生処理部２３と、スピーカ２４が新たに構成として含まれる。それ以外は前述の第１の実施の形態による携帯無線通信端末と同じである。
【００３４】
図１０は図９の携帯無線通信端末によるスタイル処理動作を示すフローチャートである。ここでは、図１０を参照し、図９の携帯無線通信端末によるスタイル処理の１つとして、オブジェクト生成と表現スタイル形式生成の処理動作について説明する。
ユーザ操作により生成オブジェクト動作として音声録音の開始が指示された場合は（Ｓ６３）、音声入力部２２にて音声を録音し（Ｓ６４）、音声処理部２１にて音声データへデジタル変換処理し（Ｓ６５）、音声データ用メモリ２５に音声データを保存する。
【００３５】
表現スタイル形式データの生成を行う際（Ｓ６７）、音声再生開始が指示された場合は（Ｓ６８）、指定された音声データを音声データ用メモリ２５から読み出し音声再生処理部２３により処理されスピーカ２４より再生される（Ｓ６８）。そして、該当音声データを表現スタイル形式データとして表現スタイル形式用メモリ１８に追加登録する（Ｓ６９）。また、ステップＳ６７において「戻る」を選択することによりステップＳ６３のオブジェクト生成処理へ任意に移行できる。なお、文字や画像等のオブジェクトを生成する場合の処理（Ｓ３〜Ｓ８）、これらオブジェクトによる表現スタイル形式データの生成処理（Ｓ１１〜Ｓ１４）、および生成した表現スタイル形式データの登録処理（Ｓ１５）については前述の図３と同じであり、ここでの説明は省略する。
【００３６】
図１１は図９の携帯無線通信端末によるスタイル処理動作を示すフローチャートである。ここでは、図１１を参照し、図９の携帯無線通信端末によるスタイル処理の１つとして、表現スタイル形式のデータにより再生を行う処理動作について説明する。
まず、表現スタイル形式用メモリ１８から表現スタイル形式を読み出し（Ｓ１８）、表現スタイル形式の修正を行う場合は（Ｓ１９：ＹＥＳ）、表現スタイル形式の修正を行い（Ｓ２０）、修正がない場合は（Ｓ１９：ＮＯ）、表現スタイル形式に基づく再生動作を開始する状態となる（Ｓ２１）。
【００３７】
表現スタイル形式に基づく再生動作が開始され（Ｓ７２）、表現スタイル形式用メモリ１８から読み出された表現スタイル形式の指示が音声再生である場合は、指定された音声データを音声データ用メモリ２５から読み出し（Ｓ７３）、音声再生処理部２３により処理されスピーカ２４より再生する（Ｓ７４）。なお、画像表示指示や文字表示指示に応じた再生動作（Ｓ２２〜Ｓ２５）については、前述の図４と同じであり、ここでの説明は省略する。
【００３８】
図１２は図９の携帯無線通信端末によるスタイル処理動作を示すフローチャートである。ここでは、図１２を参照し、図９の携帯無線通信端末によるスタイル処理の１つとして、オブジェクト取得と表現スタイル形式生成の処理動作について説明する。
ユーザ操作により表現スタイル形式登録開始が指示されると（Ｓ３７）、ホームページやファイルサーバからダウンロードする指示に従い、表現スタイル形式データとして登録が開始される（Ｓ３８）。
【００３９】
ユーザ操作によりホームページやファイルサーバからのダウンロード指示対象が音声データである場合は、指定された音声データをダウンロードし（Ｓ７８）、音声データ用メモリ２５に保存し（Ｓ７９）、音声データを音声再生処理部２３により処理しスピーカ２４より再生する（Ｓ８０）。その後、表現スタイル形式用メモリ１８に該当音声データ名を追加登録する（Ｓ８１）。なお、画像データのダウンロードや記述言語のダウンロードを行う処理動作（Ｓ３９〜Ｓ４５）、および登録処理動作（Ｓ４７）については、前述の図７と同じであり、ここでの説明は省略する。
【００４０】
【実施例】
次に、図１３〜１６を参照して、本発明の実施例について説明する。図１３は携帯無線通信端末の外観図、図１４，１５は表現スタイル形式の登録動作を示す画面表示例、図１６は生成された表現スタイル形式の一例である。
図１３（ａ）の携帯無線端末において、３５はＬＣＤなどからなり文字、図柄、画像がドットマトリクスで表示される表示部、３６は文字入力や各操作入力が行われるキーバッドである。キーパッド３６には、図１３（ｂ）に示すように、数字のほか組み合わせによりカナ、記号、アルファベット入力が可能なダイヤルキー、メニューキー、矢印キー、決定キーなどが設けられており、表現スタイル形式の登録操作に用いられる。
【００４１】
図１４，１５を参照し、表現スタイル形式の登録動作について説明する。まず、待機状態時に表示されるスタンバイ画面において、メニューキーが押下された場合、メニューが表示される（画面Ａ）。ここで、「３．ブラウザ」を選択すると、携帯電話パケット網２やインターネット網５を介してホームページサーバ３，６と通信が開始され、予め登録されているホームページが表示される（画面Ｂ）。このブラウザをキーパッド３２で操作することにより、所望のホームページへ移行できる。
【００４２】
次にメニューキーを押下するとブラウザメニューが表示される（画面Ｃ）。ここで、「４．ＵＲＬのスタイル追加登録」を選択すると、現在、ブラウザで表示されている所望のホームページのＵＲＬがスタイルとして追加登録され、そのホームページが表示される（画面Ｂ）。
画面Ｃで「３．スタイル」を選択すると、スタイルメニューが表示される（画面Ｄ）。ここで、「１．スタイル新規登録」を選択すると、表現スタイル形式の新規登録処理が開始され、スタイル新規登録画面が表示される（画面Ｅ）。
【００４３】
スタイルに文字データを追加する場合は、画面Ｅで「１．文字データ追加」を選択する。これにより、スタイル文字追加登録画面となり、文字データが予め格納されているファイルリストが表示される（画面Ｆ）。ここで、矢印キーでカーソルを移動してファイルＢを選択し（画面Ｇ）、決定キーを押下すれば、そのファイルＢの内容が画面に表示される（画面Ｈ）。そして、矢印キーを操作して表示位置を決定する。例えば「↓」を５回操作すれば表示位置が下方へ移動する（画面Ｉ）。表示位置が決定すれば決定キーを押下する。これにより、スタイルとして指定文字ファイルが追加登録され、画面Ｅに戻る。
【００４４】
スタイルに画像データを追加する場合は、画面Ｅで「２．画像データ追加」を選択する。これにより、スタイル画像追加登録画面となり、画像データが予め格納されているファイルリストが表示される（画面Ｊ）。ここで、矢印キーでカーソルを移動してファイルＢＢを選択し（画面Ｋ）、決定キーを押下すれば、そのファイルＢＢの内容が画面に表示される（画面Ｌ）。そして、矢印キーを操作して表示位置を決定する。例えば「↓」を３回、「→」を３回操作すれば表示位置が右下方へ移動する（画面Ｍ）。表示位置が決定すれば決定キーを押下する。これにより、スタイルとして指定文字ファイルが追加登録され、画面Ｅに戻る。
【００４５】
登録したスタイルの動作を確認するには、画面Ｅで「９．戻る」を選択して、画面Ｄに戻り、「３．スタイル動作」を選択する。これにより、登録したスタイル動作の内容が確認できる。このスタイルの例では、まず最初の画面Ｎで画像ファイルＡＡの画像データが表示され、「→」押下で次の画面Ｏに進みファイルＡの文字列のみが表示される。続いて「→」押下で画面ＰのようにファイルＢの文字列のみが表示され、「↓」押下すると最後の画面Ｑで画像ファイルＢＢの画像データとファイルＢの文字列が重ね合わせて表示され、メニューキーで画面Ｄへ戻る。
【００４６】
このような表現スタイル形式は、図１６に示すように、ＢＥＧＩＮ：ＳＴＹＬＥとＥＮＤ：ＳＴＹＬＥで囲まれた記述言語にて定義される。
ＳＴＹＬＥの名称としてＴＩＴＬＥ：に名称を記述する。個々のオブジェクトの表現単位をＢＯＤＹと定義し、ＢＥＧＩＮ：ＢＯＤＹとＥＮＤ：ＢＯＤＹで囲まれた部分に同時に表現される個別オブジェクトを記述する。
【００４７】
図１６では、３つのＢＯＤＹを例として挙げている。１番目のＢＯＤＹとしてのオブジェクトは文字”ＡＢＣ”である。表示位置と文字サイズを定義する。２番目のＢＯＤＹとしてのオブジェクトはファイル名Ａとファイル名Ｂの画像データを重ね合わせたものである。画像データのファイル名ＡがＢの上に重なる。３つ目のＢＯＤＹとしてのオブジェクトはファイル名ＡＢＣの文字データと、ファイル名Ｃとファイル名Ｄの画像データを重ね合わせたものと、ファイル名ＳＡの音声データである。
【００４８】
【発明の効果】
以上説明したように、本発明によれば、コンテンツ提供者側によるマルチメディア情報の表現スタイル形式の生成だけでなく、端末側でも自由に表現スタイル形式を生成・加工することができるため、そのスタイルを活用して自分専用のコンテンツを生成することができるようになる。また、電子メールとの連動を行うことで、他人へ自分が生成したコンテンツ表現スタイル形式を伝えることができる。
【図面の簡単な説明】
【図１】  本発明の各実施の形態の携帯無線通信端末が利用される通信システムのブロック図である。
【図２】  第１の実施の形態による携帯無線通信端末のブロック図である。
【図３】  図２の携帯無線通信端末によるスタイル処理動作を示すフローチャートである。
【図４】  図２の携帯無線通信端末による他のスタイル処理動作を示すフローチャートである。
【図５】  図２の携帯無線通信端末による他のスタイル処理動作を示すフローチャートである。
【図６】  第２の実施の形態による携帯無線通信端末のブロック図である。
【図７】  図６の携帯無線通信端末によるスタイル処理動作を示すフローチャートである。
【図８】  図６の携帯無線通信端末による他のスタイル処理動作を示すフローチャートである。
【図９】  第３の実施の形態である携帯無線通信端末のブロック図である。
【図１０】  図９の携帯無線通信端末によるスタイル処理動作を示すフローチャートである。
【図１１】  図６の携帯無線通信端末による他のスタイル処理動作を示すフローチャートである。
【図１２】  図６の携帯無線通信端末による他のスタイル処理動作を示すフローチャートである。
【図１３】  本発明の各実施の形態で用いられる携帯無線通信端末の外観図である。
【図１４】  表現スタイル形式の登録動作を示す画面表示例である。
【図１５】  表現スタイル形式の登録動作を示す画面表示例である。
【図１６】  生成された表現スタイル形式の一例である。
【図１７】  従来の携帯無線通信端末を示すブロック図である。
【図１８】  従来の携帯無線通信端末のスタイル処理を示すフローチャートである。
【符号の説明】
１…携帯電話パケット通信端末、２…携帯電話パケット網、３，６…ホームページサーバ、４，７…メールサーバ、５…インターネット網、８…無線部、９…送受信データ処理部、１０…画像処理部、１１…画像入力部、１２…文字入力部、１３…表示処理部、１４…表示器、１５，１９，２０…ＣＰＵ、１６…記述言語用メモリ、１７…画像用メモリ、１８…表現スタイル形式用メモリ、２１…音声処理部、２２…音声入力部、２３…音声再生処理部、２４…スピーカ、２５…音声データ用メモリ。
【図１】
0003705059.tif 000002
【図２】
0003705059.tif 000003
【図３】
0003705059.tif 000004
【図４】
0003705059.tif 000005
【図５】
0003705059.tif 000006
【図６】
0003705059.tif 000007
【図７】
0003705059.tif 000008
【図８】
0003705059.tif 000009
【図９】
0003705059.tif 000010
【図１０】
0003705059.tif 000011
【図１１】
0003705059.tif 000012
【図１２】
0003705059.tif 000013
【図１３】
0003705059.tif 000014
【図１４】
0003705059.tif 000015
【図１５】
0003705059.tif 000016
【図１６】
0003705059.tif 000017
【図１７】
0003705059.tif 000018
【図１８】
0003705059.tif 000019